(57)【要約】【課題】軒樋の形状などに制限されることなく軒先を簡単に納めることができて、しかも、軒樋に落ち葉やごみなどが入り込むのを確実に防止することができる軒先の納め構造を提供することにある。【解決手段】軒先（１２）に水切り板（２）とこの水切り板（２）の下方に位置する軒樋（１）とが取り付けられる軒先の納め構造であって、上記水切り板（２）の先端部を上記軒樋（１）の手前側上部まで延設させて弾性のある延出部（１６）となし、この延出部（１６）に複数の穴部（５）を設けた。【選択図】    図１
2005023537.tif 000002
【特許請求の範囲】
【請求項１】
軒先に水切り板とこの水切り板の下方に位置する軒樋とが取り付けられる軒先の納め構造であって、上記水切り板の先端部を上記軒樋の手前側上部まで延設させて弾性のある延出部となし、この延出部に複数の穴部を設けたことを特徴とする軒先の納め構造。
【請求項２】
上記水切り板の中央部をＶ字溝状に曲げられた第１の折曲部を有するとともに、この第１の折曲部よりも手前側に先端の角度を変えるように曲げられた第２の折曲部を有していることを特徴とする請求項１記載の軒先の納め構造。
【請求項３】
上記延出部の先端が、上記軒樋の手前側上部にある前耳部に引っ掛けて取り付けられていることを特徴とする請求項１または請求項２記載の軒先の納め構造。
【請求項４】
上記複数の穴部が、上記軒先から手前の方向に対して斜め向きとなるように配列されているものであることを特徴とする請求項１ないし請求項３いずれか記載の軒先の納め構造。
【発明の詳細な説明】
【０００１】
【発明の属する技術分野】
本発明は、軒先の納め構造に関し、具体的には、軒樋や水切り板などを外観上ですっきりと納めるのに有用な軒先の納め構造に関するものである。
【０００２】
【従来の技術】
従来の軒先の納め構造としては、例えば、図３に示すごとく、軒先（１２）に水切り（１１）とこの水切り（１１）の下方に位置する軒樋（１）とが取り付けられていたものであり、上記軒樋（１）の取り付けとしては、鼻隠し板（１０）に固定された吊り具（７）に手前側の前耳部（８）と後方側の後耳部（９）とが引っ掛けられることで行われていたものであった。
【０００３】
しかしながら、このような軒先の納め構造においては、軒樋（１）の取り付けとしては確実に行えるものの、同軒樋（１）に落ち葉やごみなどが入り込みやすいものであり、入り込んだ落ち葉やごみなどが同軒樋（１）内で堆積することによって、雨水などの排水が妨げられて、結果として、同軒樋（１）から雨水などが溢れてしまうという問題があった。
【０００４】
そこで、上記軒樋（１）に落ち葉やごみなどが入り込むのを防止するために、市販されており入手が容易である落ち葉避けネットを同軒樋（１）に取り付けることが考えられたが、同軒樋（１）のサイズや形状がある１つの決まったものにしか取り付けることができないものであり、制約が多くて、こうしたことで軒先を充分に納めることができず、依然として問題が残るものであった。
【０００５】
また、下記の特許文献１に示されている特開２０００−３１００１６号公報のようなものも考えられていたものであった。この公報によると、具体的には、図４および図５に示すごとく、軒先（１２）に水切り（１１）とこの水切り（１１）の下方に位置する軒樋（１）とが取り付けられ、さらに、この軒樋（１）と水切り（１１）との間に複数の水抜き孔（１５）を有する被閉板（１４）がネジなどの固定具（１３）で固定されていたものであり、上記軒樋（１）の取り付けとしては、上述した図３に示す場合と同様に、鼻隠し板（１０）に固定された吊り具（７）に手前側の前耳部（８）と後方側の後耳部（９）とが引っ掛けられることで行われていたものであった。
【０００６】
【特許文献１】
特開２０００−３１００１６号公報
【０００７】
【発明が解決しようとする課題】
しかしながら、図４および図５に示した軒先の納め構造においても、軒樋（１）に落ち葉やごみなどが入り込むのを防止することができるものの、落ち葉避けネットを軒樋（１）に取り付けた場合と同様に、被閉板（１４）としては同軒樋（１）のサイズや形状がある決まったものにしか取り付けることができないものであり、結果として、軒先を充分に納めることができない点で、依然として問題が残るものであった。
【０００８】
本発明は、上述の問題を解決するためになされたものであって、その目的とするところは、軒樋の形状などに制限されることなく軒先を簡単に納めることができて、しかも、軒樋に落ち葉やごみなどが入り込むのを確実に防止することができる軒先の納め構造を提供するものである。
【０００９】
【課題を解決するための手段】
本発明の請求項１に係る軒先の納め構造は、軒先（１２）に水切り板（２）とこの水切り板（２）の下方に位置する軒樋（１）とが取り付けられる軒先の納め構造であって、上記水切り板（２）の先端部を上記軒樋（１）の手前側上部まで延設させて弾性のある延出部（１６）となし、この延出部（１６）に複数の穴部（５）を設けたことを特徴とする。
【００１０】
本発明の請求項２に係る軒先の納め構造は、上記水切り板（２）の中央部をＶ字溝状に曲げられた第１の折曲部（４）を有するとともに、この第１の折曲部（４）よりも手前側に先端の角度を変えるように曲げられた第２の折曲部（６）を有していることを特徴とする。
【００１１】
本発明の請求項３に係る軒先の納め構造は、上記延出部（１６）の先端が、上記軒樋（１）の手前側上部にある前耳部（８）に引っ掛けて取り付けられていることを特徴とする。
【００１２】
本発明の請求項４に係る軒先の納め構造は、上記複数の穴部（５）が、上記軒先（１２）から手前の方向に対して斜め向きとなるように配列されているものであることを特徴とする。
【００１３】
【発明の実施の形態】
以下、本発明を実施形態に係る図面に基づいて詳しく説明する。
【００１４】
図１は、本発明の一実施形態に係る軒先の納め構造を示した断面図である。図２は、本発明の軒先の納め構造に用いられる一実施形態に係る水切り板を示した斜視図である。
【００１５】
本発明の軒先の納め構造は、軒樋や水切り板などを外観上ですっきりと納めるのに有用なものである。そして、本発明の軒先の納め構造は、図１および図２に示すごとく、軒先（１２）に水切り板（２）とこの水切り板（２）の下方に位置する軒樋（１）とが取り付けられる軒先の納め構造であって、上記水切り板（２）の先端部を上記軒樋（１）の手前側上部まで延設させて弾性のある延出部（１６）となし、この延出部（１６）に複数の穴部（５）を設けているというものである。
【００１６】
上記軒樋（１）は、図１に示すごとく、上記水切り板（２）の下方に位置しているものである。この軒樋（１）は、鼻隠し板（１０）に固定された吊り具（７）に手前側の前耳部（８）と後方側の後耳部（９）とが引っ掛けられることで軒先（１２）に取り付けられているものである。この軒樋（１）を上記吊り具（７）へ取り付ける方法としては、同吊り具（７）に軒樋（１）の前耳部（８）が引っ掛けられて、この前耳部（８）を中心として回転させるようにして後耳部（９）が引っ掛けられるものである。この軒樋（１）の材質としては、通常ステンレス、鉄、アルミ、銅などの金属製のものが採用されるが、その他にも軒樋（１）として充分に機能する強度を有するものであれば、アクリル樹脂などの樹脂製のものであってもかまわないものである。
【００１７】
上記水切り板（２）は、図１に示すごとく、軒先（１２）に取り付けられているものである。この水切り板（２）の後方側端部は、手前側へ折り返された折り返し（３）を有しており、この折り返し（３）の部分は軒先（１２）に設置される瓦下に配設されるものである。この水切り板（２）の材質としては、通常ステンレス、鉄、アルミ、銅などの金属製のものが用いられるが、その他に水切りとしての強度や耐候性を有するものであれば、上記金属にアクリルなどの樹脂をコーティングしたものや単にアクリルなどの樹脂で形成された樹脂製のものであってもかまわないものである。
【００１８】
上記延出部（１６）は、図１および図２に示すごとく、上記水切り板（２）の先端部を上記軒樋（１）の手前側上部まで延設させて形成されているものである。この延出部（１６）には、複数の穴部（５）を設けているものである。複数の穴部（５）としては、雨水や結露水などの水分がスムーズに通せる程度のサイズや形状にそれぞれ形成されているものである。例えば、本実施形態の場合であると、複数の穴部（５）としては、落ち葉やごみ、その他にもボールやバドミントンの羽などが入らない直径８ｍｍ程度の大きさで円形状にそれぞれ形成されているものである。
【００１９】
本発明は、このような構成をとることによって、水切り板（２）の下方に位置する軒樋（１）の手前側上部まで延設された延出部（１６）の存在により、同軒樋（１）に落ち葉やごみなどが入り込むのを確実に防止することができて、しかも、延出部（１６）は複数の穴部（５）を有しているので、雨水や結露水などの水分がスムーズに通って、結果として、同軒樋（１）内へ雨水や結露水などの水分を流し込むことができるものである。そして、弾性のある延出部（１６）は軒樋（１）の手前側上部まで延設させているものであるために、同軒樋（１）の形状などに制限されることなく軒先（１２）を簡単に納めることができるものである。
【００２０】
また、延出部（１６）の存在により、水切り板（２）としては落ち葉やごみ避けの機能が付加されたものとなり、後付けで別途落ち葉避けネットなどを設けたものに比べてより一層確実な取り付け固定がなされるものである上に、後付けなしなので作業性に優れ、施工後の外観としても良いものである。
【００２１】
すなわち、本発明は、軒樋（１）の形状などに制限されることなく軒先（１２）を簡単に納めることができて、しかも、軒樋（１）に落ち葉やごみなどが入り込むのを確実に防止することができるものである。
【００２２】
また、図１および図２に示すごとく、上記水切り板（２）の中央部をＶ字溝状に曲げられた第１の折曲部（４）を有するとともに、この第１の折曲部（４）よりも手前側に先端の角度を変えるように曲げられた第２の折曲部（６）を有しているものであると、軒樋（１）の形状やサイズ、同軒樋（１）の取り付け位置などに応じて、第１の折曲部（４）と第２の折曲部（６）の折り曲げを適宜調整して取り付けるだけで、水切り板（２）が簡単、かつ、確実に取り付けられるものであり、その結果、軒樋（１）の形状などに制限されることがより一層確実になくなり、軒先（１２）を一層簡単に納めることができるものである。しかも、Ｖ字溝状に曲げられた第１の折曲部（４）により、水切り板（２）の裏面側を伝う雨水などの水分を確実に軒樋（１）内へ流し込むことができて、水切り板（２）の水切り性能としても向上するものである。
【００２３】
さらに、図１に示すごとく、上記延出部（１６）の先端が、上記軒樋（１）の手前側上部にある前耳部（８）に引っ掛けて取り付けられているものであると、前耳部（８）に延出部（１６）の先端が引っ掛けられるだけの簡単な作業で、水切り板（２）の取り付け固定が完結して、その結果、クリップなどの特別な補助材なしで施工可能であり、汎用性に優れ、現場での施工が非常に容易なものとなる。
【００２４】
そして、図１および図２に示すごとく、上記複数の穴部（５）が、上記軒先（１２）から手前の方向に対して斜め向きとなるように配列されているものであると、雨水などの水分が軒先（１２）に対して直角な向きに流れてきても、軒先（１２）から手前の方向に対して斜め向きとなるように配列されている複数の穴部（５）のいずれかから雨水が軒樋（１）内に落ちて、排水へと導かれるものであり、結果として、排水効率をより一層高くすることができるものである。
【００２５】
本実施形態のように、上記水切り板（２）が第２の折曲部（６）によって延出部（１６）が区切られたようになっている場合、第２の折曲部（６）を挟んで上下の延出部（１６）で穴部（５）の傾斜方向を変えたものであると、複数の穴部（５）のいずれかから雨水がより一層確実に軒樋（１）内に落ちて排水へと導かれるようになり、排水効率としては格別に高くなるものである。
【００２６】
【発明の効果】
本発明の請求項１に係る軒先の納め構造によると、水切り板（２）の下方に位置する軒樋（１）の手前側上部まで延設された延出部（１６）の存在により、同軒樋（１）に落ち葉やごみなどが入り込むのを確実に防止することができて、しかも、延出部（１６）は複数の穴部（５）を有しているので、雨水や結露水などの水分がスムーズに通って、結果として、同軒樋（１）内へ雨水や結露水などの水分を流し込むことができるものである。そして、弾性のある延出部（１６）は軒樋（１）の手前側上部まで延設させているものであるために、同軒樋（１）の形状などに制限されることなく軒先（１２）を簡単に納めることができるものである。
【００２７】
また、延出部（１６）の存在により、水切り板（２）としては落ち葉やごみ避けの機能が付加されたものとなり、後付けで別途落ち葉避けネットなどを設けたものに比べてより一層確実な取り付け固定がなされるものである上に、後付けなしなので作業性に優れ、施工後の外観としても良いものである。
【００２８】
すなわち、本発明は、軒樋（１）の形状などに制限されることなく軒先（１２）を簡単に納めることができて、しかも、軒樋（１）に落ち葉やごみなどが入り込むのを確実に防止することができるものである。
【００２９】
本発明の請求項２に係る軒先の納め構造によると、請求項１記載の場合に加えて、軒樋（１）の形状やサイズ、同軒樋（１）の取り付け位置などに応じて、第１の折曲部（４）と第２の折曲部（６）の折り曲げを適宜調整して取り付けるだけで、水切り板（２）が簡単、かつ、確実に取り付けられるものであり、その結果、軒樋（１）の形状などに制限されることがより一層確実になくなり、軒先（１２）を一層簡単に納めることができるものである。しかも、Ｖ字溝状に曲げられた第１の折曲部（４）により、水切り板（２）の裏面側を伝う雨水などの水分を確実に軒樋（１）内へ流し込むことができて、水切り板（２）の水切り性能としても向上するものである。
【００３０】
本発明の請求項３に係る軒先の納め構造によると、請求項１または請求項２記載の場合に加えて、前耳部（８）に延出部（１６）の先端が引っ掛けられるだけの簡単な作業で、水切り板（２）の取り付け固定が完結して、その結果、クリップなどの特別な補助材なしで施工可能であり、汎用性に優れ、現場での施工が非常に容易なものとなる。
【００３１】
本発明の請求項４に係る軒先の納め構造によると、請求項１ないし請求項３いずれか記載の場合に加えて、雨水などの水分が軒先（１２）に対して直角な向きに流れてきても、軒先（１２）から手前の方向に対して斜め向きとなるように配列されている複数の穴部（５）のいずれかから雨水が軒樋（１）内に落ちて、排水へと導かれるものであり、結果として、排水効率をより一層高くすることができるものである。
【図面の簡単な説明】
【図１】本発明の一実施形態に係る軒先の納め構造を示した断面図である。
【図２】本発明の軒先の納め構造に用いられる一実施形態に係る水切り板を示した斜視図である。
【図３】一従来例に係る軒先の納め構造を示した断面図である。
【図４】他の一従来例に係る軒先の納め構造を示した斜視図である。
【図５】図４の従来例に係る軒先の納め構造に用いられる軒樋と水切りを示した分解斜視図である。
【符号の説明】
１    軒樋
２    水切り板
４    第１の折曲部
５    穴部
６    第２の折曲部
８    前耳部
１２  軒先
１６  延出部
【図１】
2005023537.tif 000003
【図２】
2005023537.tif 000004
【図３】
2005023537.tif 000005
【図４】
2005023537.tif 000006
【図５】
2005023537.tif 000007